(57)【特許請求の範囲】
【請求項１】
第一負荷と第二負荷の動作を制御し、交流電圧に応じた周期的な第一の信号と前記第二負荷の状態に応じた非周期的な第二の信号のいずれかが入力信号として一つの入力ポートに入力される制御手段を備え、
前記制御手段は、前記第一の信号が前記入力信号として前記入力ポートに入力されている期間において、前記第一の信号に応じて前記第一負荷の動作を制御し、前記第二の信号が前記入力信号として前記入力ポートに入力されている期間において、前記第一の信号を擬似的に生成し、擬似的に生成した前記第一の信号に基づき、前記第一負荷の動作を制御することを特徴とする制御装置。
【請求項２】
前記第二負荷の動作状態が変化した場合に、前記第二の信号が前記入力ポートに入力されることを特徴とする請求項１に記載の制御装置。
【請求項３】
前記第二負荷が故障した場合に前記第二の信号が前記入力ポートに入力されることを特徴とする請求項２に記載の制御装置。
【請求項４】
前記第一の信号は、商用電源の交流電圧の周期に応じた信号であることを特徴とする請求項１乃至３のいずれか１項に記載の制御装置。
【請求項５】
記録媒体に画像を形成する画像形成装置であって、
第一負荷と第二負荷の動作を制御し、交流電圧に応じた周期的な第一の信号と前記第二負荷の状態に応じた非周期的な第二の信号のいずれかが入力信号として一つの入力ポートに入力される制御手段を備え、
前記制御手段は、前記第一の信号が前記入力信号として前記入力ポートに入力されている期間において、前記第一の信号に応じて前記第一負荷の動作を制御し、前記第二の信号が前記入力信号として前記入力ポートに入力されている期間において、前記第一の信号を擬似的に生成し、擬似的に生成した前記第一の信号に基づき、前記第一負荷の動作を制御することを特徴とする画像形成装置。
【請求項６】
前記第二負荷の動作状態が変化した場合に、前記第二の信号が前記入力ポートに入力されることを特徴とする請求項５に記載の画像形成装置。
【請求項７】
前記第二負荷が故障した場合に前記第二の信号が前記入力ポートに入力されることを特徴とする請求項６に記載の画像形成装置。
【請求項８】
前記第一の信号は、商用電源の交流電圧の周期に応じた信号であることを特徴とする請求項５乃至７のいずれか１項に記載の画像形成装置。
【請求項９】
前記第一負荷は、発熱部材を有する定着手段であって、
前記第一の信号は前記交流電圧の周期に応じたゼロクロス信号であって、
前記制御手段は、前記ゼロクロス信号に同期して、前記発熱部材に電力を供給する制御を行うことを特徴とする請求項６乃至８のいずれか１項に記載の画像形成装置。
【請求項１０】
前記第二負荷は、回転数に応じた前記第二の信号を出力するファンであって、
前記制御手段は、前記擬似的に生成した前記第一の信号の周期を、前記第一の信号が前記入力ポートに入力されている期間における前記第一の信号の周期に基づき決定することを特徴とする請求項６乃至９のいずれか１項に記載の画像形成装置。
【請求項１１】
前記制御手段は、前記ファンの駆動の要求があったタイミングから、前記第一の信号の一周期分以上の時間が経過したタイミングで、前記ファンの駆動を開始することを特徴とする請求項１０に記載の画像形成装置。
【請求項１２】
前記第二負荷は、記録媒体を検知するための検知手段であって、
前記検知手段は、記録媒体の検知結果に応じて前記第二の信号を出力することを特徴とする請求項９に記載の画像形成装置。
【請求項１３】
前記制御手段は、複数の記録媒体を給紙する場合には、前記検知手段によって記録媒体を検知していない紙間において前記入力ポートに入力された前記第一の信号の周期に基づき、擬似的に生成した前記第一の信号の周期を決定することを特徴とする請求項１２に記載の画像形成装置。
【発明の詳細な説明】
【技術分野】
【０００１】
本発明は、複数の検知信号を用いた回路構成における制御装置と、その制御装置を備える画像形成装置に関する。
【背景技術】
【０００２】
従来、レーザービームプリンタ等の画像形成装置において、商用電源の周期やフォトセンサ等からの信号の出力は、ＣＰＵやＳｏＣ（Ｓｙｓｔｅｍ−ｏｎ−ａ−ｃｈｉｐ）に専用の入力ポートを設けることにより検知を行うことが一般的である。例えば、記録材に形成されたトナー像を定着させるための加熱手段に商用電源電圧を印加することで発熱させる画像形成装置がある。この画像形成装置では、商用電源周期の検知手段を備え、例えばフォトトライアックカプラを商用電源周期に基づいてオン、オフすることにより交流電圧を印加し投入電力の制御を行っている（例えば、特許文献１参照）。商用電源周期を検知することにより、フォトトライアックカプラのオン、オフのタイミングを商用電源周期と同期させることが可能である。このため、ＩＥＣ６１０００（電磁両立性に関する国際規格）に定められた、定着手段に供給する交流電圧の正負の対称性の保証が可能である。
【０００３】
昨今、より高性能な機能を満足させるために、画像形成装置に備えられるセンサや検知手段の数が増加してきており、ＣＰＵやＳｏＣに必要なポート数も増加している。しかし、ポートを増やすためにＣＰＵやＳｏＣのパッケージを大きくし、ピン数を増やすことは、コストアップや基板面積の増大に繋がるため、ポートを削減することが求められている。ポートを削減する１つの手段として、２つ以上の信号のポートを兼用し、検知する手段がある。
【先行技術文献】
【特許文献】
【０００４】
【特許文献１】特開２０１０−１７５８１４号公報
【発明の概要】
【発明が解決しようとする課題】
【０００５】
図６（ａ）に示すような回路構成で、周期信号Ｓ１１とレベル信号Ｓ１２の２つの信号を、制御部１０の一つの入力ポートに入力し、兼用して用いる場合がある。制御部１０に入力されるこの信号を、兼用信号Ｓ１３とする。周期信号Ｓ１１は、トランジスタＴｒ１のベース端子に入力され、トランジスタＴｒ１のエミッタ端子は接地され、コレクタ端子が兼用信号Ｓ１３の信号線に接続されている。レベル信号Ｓ１２は、トランジスタＴｒ２のベース端子に入力され、トランジスタＴｒ２のエミッタ端子は接地され、コレクタ端子が兼用信号Ｓ１３の信号線に接続されている。図６（ｂ）のタイミングチャートは、上から、周期信号Ｓ１１、レベル信号Ｓ１２、兼用信号Ｓ１３の状態をそれぞれ示す。レベル信号Ｓ１２の出力がローレベルのとき、兼用信号Ｓ１３は周期信号Ｓ１１に応じた信号を出力するため、制御部１０は周期信号Ｓ１１を検知することが可能である。しかし、レベル信号Ｓ１２の出力がハイレベルになる期間Ｔｄでは、周期信号Ｓ１１が正常に出力されていても、トランジスタＴｒ２がオンすることで兼用信号Ｓ１３はローレベルとなり、制御部１０にはローレベルの信号が入力される。これにより、本来、制御部１０が周期信号Ｓ１１を検知すべき期間Ｔｄでは、周期信号Ｓ１１が検知できなくなる。
【０００６】
例えば、レーザービームプリンタにおいて、定着装置の投入電力制御では、前述したように商用電源の周期を検知し、周期に基づいたフォトトライアックカプラのオン、オフ制御を行っている。周期を検知するポートとセンサ出力などのレベル信号を検知するポートを兼用しようとした場合、センサ出力の変化により周期信号が検知できなくなってしまう期間Ｔｄが発生する。この期間Ｔｄでは、フォトトライアックカプラのオン、オフのタイミングが決定できなくなってしまうため、制御を継続することができなくなってしまう。
【０００７】
本発明は、このような状況のもとでなされたもので、周期的な信号と非周期的な信号が制御手段の一つの入力ポートに入力される構成で、周期的な信号を用いた制御を行う際に、非周期的な信号の状態によらず制御を継続させることを目的とする。
【課題を解決するための手段】
【０００８】
上述した課題を解決するために、本発明は、以下の構成を備える。
【０００９】
（１）第一負荷と第二負荷の動作を制御し、交流電圧に応じた周期的な第一の信号と前記第二負荷の状態に応じた非周期的な第二の信号のいずれかが入力信号として一つの入力ポートに入力される制御手段を備え、前記制御手段は、前記第一の信号が前記入力信号として前記入力ポートに入力されている期間において、前記第一の信号に応じて前記第一負荷の動作を制御し、前記第二の信号が前記入力信号として前記入力ポートに入力されている期間において、前記第一の信号を擬似的に生成し、擬似的に生成した前記第一の信号に基づき、前記第一負荷の動作を制御することを特徴とする制御装置。
（２）記録媒体に画像を形成する画像形成装置であって、第一負荷と第二負荷の動作を制御し、交流電圧に応じた周期的な第一の信号と前記第二負荷の状態に応じた非周期的な第二の信号のいずれかが入力信号として一つの入力ポートに入力される制御手段を備え、前記制御手段は、前記第一の信号が前記入力信号として前記入力ポートに入力されている期間において、前記第一の信号に応じて前記第一負荷の動作を制御し、前記第二の信号が前記入力信号として前記入力ポートに入力されている期間において、前記第一の信号を擬似的に生成し、擬似的に生成した前記第一の信号に基づき、前記第一負荷の動作を制御することを特徴とする画像形成装置。
【発明の効果】
【００１１】
本発明によれば、周期的な信号と非周期的な信号が制御手段の一つの入力ポートに入力される構成で、周期的な信号を用いた制御を行う際に、非周期的な信号の状態によらず制御を継続させることができる。
【図面の簡単な説明】
【００１２】
【図１】実施例１〜３のレーザービームプリンタの構成を示す図
【図２】実施例１の回路構成を示す図、投入電力制御を示す図
【図３】実施例１の制御を示すタイミングチャート
【図４】実施例２の回路構成を示す図、制御を示すタイミングチャート
【図５】実施例３の制御を示すタイミングチャート
【図６】従来例の回路構成を示す図、制御を示すタイミングチャート
【発明を実施するための形態】
【００１３】
以下、本発明を実施するための形態を、実施例により図面を参照しながら詳しく説明する。
【実施例１】
【００１４】
［画像形成装置］
実施例１について説明する。本発明は制御装置に関するが、実施例１では、本発明の制御装置を、例えば、電子写真プロセスを用いたレーザービームプリンタに適用した例について説明する。図１にレーザービームプリンタ（以下、プリンタ）１１８の構成例を示す。プリンタ１１８は、プリントが開始されると、給紙部１１６から給紙ローラ１０２により記録媒体である用紙１０１をピックアップし、用紙１０１を搬送ローラ１０３、１０４により搬送する。用紙１０１の搬送が開始されると、フラグ１２０により用紙１０１の先端及び後端が検知される。フラグ１２０により用紙１０１の先端が検知されることにより、後述する電子写真プロセスの種々の制御の開始タイミングを決定することが可能である。
【００１５】
プロセスカートリッジ１０９は、像担持体である感光ドラム１０５、帯電ローラ１０６、現像ローラ１０７、トナー１０８を有する。プリント開始と共に、帯電ローラ１０６には高電圧が印加され、帯電ローラ１０６によって感光ドラム１０５上が均一に帯電される。感光ドラム１０５上の画像形成範囲には、走査光学装置１１０からレーザー光１１１が走査される。走査光学装置１１０によって感光ドラム１０５上に画像パターンが形成され、高電圧が印加された現像ローラ１０７により、感光ドラム１０５上の画像パターンに従ったトナー像が形成される。感光ドラム１０５上に形成されたトナー像は、高電圧が印加された転写ローラ１１２により、用紙１０１に転写される。トナー像が転写された用紙１０１は、定着手段である加熱装置１１３と加圧装置１１４により、トナー１０８が定着される。トナー１０８が定着された用紙１０１は、排紙ローラ１１５により排紙され、画像形成が完了する。
【００１６】
連続的に画像形成が行われる場合、フラグ１２０が用紙１０１の後端を検知することにより、次の用紙の搬送を開始するタイミングが決定される。また、プリンタ１１８は、ファン１１７を備えている。ファン１１７は、加熱装置１１３の発熱によるプロセスカートリッジ１０９内のトナー１０８の固着の防止、不図示の電源装置等の電装部品の発熱抑制のために備えられている。なお、本発明の制御装置を適用できる画像形成装置は、図１で説明したプリンタ１１８に限定されない。
【００１７】
［回路構成］
本実施例の回路構成について説明する。図２（Ａ）は、本実施例の制御装置である、加熱装置１１３（破線枠部）の制御回路の構成を示す。本実施例の制御回路は、加熱装置１１３の制御を波数制御にて行うものとするが、例えば、位相制御や、波数制御と位相制御を組み合わせた制御でもよく、後述する商用電源の周期に同期した制御を行うものであればよい。加熱装置１１３は、発熱部材２０２とサーミスタ２０３を有する。発熱部材２０２への電力供給は、双方向サイリスタ（以下、トライアックという）Ｑ２により行われ、入力電圧の一周期の半分の波形である１半波の単位で制御される。制御手段である制御部２０４からフォトトライアックカプラＰＣ１（以下、単にＰＣ１とする）に対してオン信号（以下、ＦＳＲＤ信号Ｓ１７）を出力すると、ＰＣ１の二次側ダイオードがオンすることで、一次側の内部トライアックがオンする。ＰＣ１の内部トライアックがオンすることで、商用電源２０１により印加される電圧により、トライアックＱ２のゲートに電流が流れてトライアックＱ２がオンし、発熱部材２０２に電力が供給される。なお、ＡＣラインの一方には、リレーＲＬ１が接続されている。
【００１８】
電力の供給量は、例えば、発熱部材２０２の目標温度とサーミスタ２０３による検知温度の差分から求められ、ＰＣ１をオン、オフ制御することで、求められた電力の供給量となるように制御される。サーミスタ２０３は、温度変化により抵抗値が変化する。このため、制御部２０４は、低圧電源２０５により生成された電圧Ｖｃｃ１とプルアップ抵抗Ｒ２により、サーミスタ２０３の抵抗値の変化を電圧の変化として検知することができる。制御部２０４は、入力された電圧をアナログ−デジタル変換（以下、Ａ／Ｄ変換とする）することで、発熱部材２０２の温度を検知することができる。低圧電源２０５は、商用電源２０１の交流電圧から、直流の電圧Ｖｃｃ１と直流の電圧Ｖｃｃ２を生成する。
【００１９】
（加熱装置への電力投入制御）
図２（Ｂ）に加熱装置１１３への電力投入制御の駆動パターンを示す。サーミスタ２０３により検知された発熱部材２０２の現在温度と目標温度との差分から、投入電力レベルが決定される。図２（Ｂ）の（ａ）〜（ｃ）は、異なる投入電力レベルを示し、各投入電力レベルの上の波形は、そのレベルの電力を投入するための波数パターン２０を示し、下の波形は、制御部２０４からＰＣ１に出力されるＦＳＲＤ信号Ｓ１７のオン、オフを示す。
【００２０】
図２（Ｂ）（ａ）は投入電力レベルが１００％のときを示す。サーミスタ２０３により検知された発熱部材２０２の温度が目標温度より低く、差分が大きい場合は、図２（Ｂ）（ａ）のような投入電力レベルの高い波数パターン２０が投入される。また、図２（Ｂ）（ｃ）は投入電力レベルが５０％のときを示す。サーミスタ２０３により検知された発熱部材２０２の温度と目標温度の差分が小さい場合は、図２（Ｂ）（ｃ）のような投入電力レベルの低い波数パターン２０が投入される。更に、図２（Ｂ）（ｂ）のように、投入電力レベルが７５％となるような波数パターン２０で制御することもできる。ＦＳＲＤ信号Ｓ１７は、商用電源２０１の交流電圧のゼロクロスタイミングに同期して出力される。これにより、発熱部材２０２に印加された交流電圧の波数パターン２０を把握し、交流電圧の正負の対称性が保証されている。商用電源２０１の周期は、商用電源２０１のＡＣライン間に接続されたフォトカプラＰＣ２に印加された交流電圧から商用電源２０１の周期的な第一の信号である周期信号Ｓ１４として検知される。
【００２１】
制御部２０４は、駆動信号Ｓ１８を出力することにより、ファン１１７に低圧電源２０５により生成された電圧Ｖｃｃ２を印加する。ここで、トランジスタＱ３は、ベース端子に駆動信号Ｓ１８が入力され、コレクタ端子に電圧Ｖｃｃ２が入力され、エミッタ端子にファン１１７が接続されている。なお、駆動信号Ｓ１８がローレベルとなっているときには、トランジスタＱ３がオフとなり、電圧Ｖｃｃ２がファン１１７に供給されない。駆動信号Ｓ１８がハイレベルとなっているときには、トランジスタＱ３がオンとなり、電圧Ｖｃｃ２がファン１１７に供給される。これにより、ファン１１７は回転する。
【００２２】
ファン１１７からは、非周期的な第二の信号であるファンロック信号Ｓ１５が出力される。ファンロック信号Ｓ１５は、ファン１１７内部の不図示のトランジスタ（以下、内部トランジスタという）のコレクタ端子に接続されている。駆動信号Ｓ１８がローレベルとなって電圧Ｖｃｃ２がファン１１７に供給されていない状態では、内部トランジスタはオフ状態となっている。このとき、ファンロック信号Ｓ１５はローレベルとなり、トランジスタＱ１は動作しない。
【００２３】
一方、駆動信号Ｓ１８がハイレベルとなって電圧Ｖｃｃ２がファン１１７に供給されている状態では、ファン１１７の回転数に応じてファンロック信号Ｓ１５のレベルが決定される。ファン１１７の回転数が所定の回転数未満の場合には、内部トランジスタがオフ状態となる。そして、内部トランジスタがオフ状態のとき、ファン１１７からは、第二の状態であるハイレベルのファンロック信号Ｓ１５が出力される。なお、ファン１１７の回転数が所定の回転数以上となった場合には、内部トランジスタがオン状態となり、ファンロック信号Ｓ１５は第一の状態であるローレベルとなる。このように、ファン１１７の起動時の回転数が所定の回転数に立ち上がるまでの期間には、ハイレベルのファンロック信号Ｓ１５が出力される。また、ファン１１７の故障等でロックした際にも、ハイレベルのファンロック信号Ｓ１５が出力される。
【００２４】
商用電源２０１の周期信号Ｓ１４とファンロック信号Ｓ１５の２つの信号出力は、回路上でワイヤードオアされて入力信号である兼用信号Ｓ１６として制御部２０４の一つの入力ポートに入力される。ここで、ファン１１７の回転数が所定の回転数未満となっている場合や故障等でロックしている場合等で、ファンロック信号Ｓ１５がハイレベルとなっている場合には、トランジスタＱ１がオンする。トランジスタＱ１は、ベース端子にファンロック信号Ｓ１５が入力され、エミッタ端子が接地され、コレクタ端子に兼用信号Ｓ１６の信号線が接続されている。トランジスタＱ１がオンすることで、周期信号Ｓ１４の状態にかかわらず、兼用信号Ｓ１６は所定の状態であるローレベルとなる。
【００２５】
［本実施例の制御］
次に、本実施例の制御について、図３のタイミングチャートを用いて説明する。図３は、（ａ）が駆動信号Ｓ１８の信号波形を、（ｂ）がファンロック信号Ｓ１５の信号波形を、（ｃ）が周期信号Ｓ１４の信号波形を、（ｄ）が兼用信号Ｓ１６の信号波形を、それぞれ示す。図３は、（ｅ）が疑似周期Ｔ’の波形を、（ｆ）が制御モードを、それぞれ示す。
【００２６】
プリンタ１１８がプリントジョブを受け付けてプリントが開始される、又は、電源投入時の初期動作を開始すると、制御部２０４は、タイミングｔ１１でリレーＲＬ１をオンする。タイミングｔ１１でリレーＲＬ１がオンされると、ＰＣ２に交流電圧が印加され、図３（ｃ）に示すように、周期信号Ｓ１４には商用電源２０１の周期に同期したパルス信号が出力される。タイミングｔ１１では、制御部２０４は、図３（ａ）に示すように、駆動信号Ｓ１８をローレベルとしている。これにより、図３（ｂ）に示すように、ファンロック信号Ｓ１５もローレベルとなり、図３（ｄ）に示すように、兼用信号Ｓ１６には周期信号Ｓ１４が出力され、制御部２０４は商用電源２０１の周期を検知することが可能である。なお、周期信号Ｓ１４がハイレベルのときにＰＣ２の二次側のフォトトランジスタがオンし、兼用信号Ｓ１６はローレベルとなる。周期信号Ｓ１４がローレベルのときにＰＣ２の二次側のフォトトランジスタがオフし、兼用信号Ｓ１６はハイレベルとなる。このため、周期信号Ｓ１４と兼用信号Ｓ１６は、周期は等しいが逆位相となっている。
【００２７】
制御部２０４は、兼用信号Ｓ１６の立ち上がり又は立ち下がりエッジをトリガとしたハードウェア割り込みとして商用電源２０１の周期信号Ｓ１４を検知する。制御部２０４は、検知した周期信号Ｓ１４の立ち上がり（又は立ち下がり）エッジから次の立ち上がり（又は立ち下がり）エッジまでの間隔から、商用電源２０１の周期Ｔ１を求める。本実施例では、兼用信号Ｓ１６の立ち下がりエッジから次の立ち下がりエッジまでを周期Ｔ１としている。
【００２８】
タイミングｔ１２で商用電源２０１の周期Ｔ１が決定されると、制御部２０４は、周期Ｔ１のタイミングと同期させて、商用電源２０１のゼロクロスタイミングとのズレが発生しないようにＰＣ１にＦＳＲＤ信号Ｓ１７を出力する。このようにして制御部２０４は、発熱部材２０２の投入電力制御を行う。ここでは、商用電源２０１の周期Ｔ１を利用した制御を、第一の制御である通常周期制御という（図３（ｆ）参照）。制御部２０４は、兼用信号Ｓ１６に周期信号Ｓ１４が入力される度にハードウェア割り込みとして検知し、通常周期制御中の周期Ｔ１を、最新の周期の値に更新する。
【００２９】
次に、図３のタイミングｔ１３で、プリンタ１１８本体の温度状態によりファン１１７の駆動要求が発生した場合、制御部２０４は、ファン１１７の駆動要求が発生した際に保持している最新の周期Ｔ１を、所定の周期である疑似周期Ｔ’として設定する。また、制御部２０４は、タイミングｔ１５でファン１１７の起動を開始するため、ハイレベルの駆動信号Ｓ１８をファン１１７に出力する。上述したように、ファン１１７の起動時には、ファン１１７の回転数が所定の回転数以上となるまで、ハイレベルのファンロック信号Ｓ１５が出力される（図３（ｂ））。このため、兼用信号Ｓ１６は、商用電源２０１の周期信号Ｓ１４にかかわらず、ローレベルとなってしまう（図３（ｄ））。
【００３０】
このため、ファン１１７の起動を開始するタイミングｔ１５より前に、タイミングｔ１３で決定された疑似周期Ｔ’を用いた制御に切り替える必要がある。ここで、疑似周期Ｔ’を用いた制御を、第二の制御である疑似周期制御という。制御部２０４は、タイミングｔ１３で疑似周期Ｔ’を決定した後、ファン１１７の駆動要求が発生した後の周期信号Ｓ１４の立ち上がり又は立ち下がりエッジと同期したタイミングｔ１４で、通常周期制御から疑似周期制御へ移行する（図３（ｆ））。本実施例では、兼用信号Ｓ１６の立ち上がりエッジと、疑似周期Ｔ’の信号の立ち上がりエッジが同じタイミングとなるように、タイミングｔ１４で同期をとっている。疑似周期制御では、制御部２０４は、疑似周期Ｔ’の信号を生成し、その信号に同期して、発熱部材２０２の投入電力制御を行う。
【００３１】
制御部２０４は、ファン１１７の駆動要求後の兼用信号Ｓ１６の立ち上がり又は立ち下がりエッジを確実に検知するため、次のように制御する必要がある。即ち、制御部２０４は、ファン１１７の駆動要求のタイミングｔ１３からファン１１７の起動開始までのタイミングｔ１５までに、商用電源２０１の一周期分以上の間隔を空けるように制御する必要がある。制御部２０４は、疑似周期制御中は、疑似周期Ｔ’を利用して、ＦＳＲＤ信号Ｓ１７の制御を継続する。
【００３２】
疑似周期Ｔ’は、制御部２０４の内部に設けられたタイマーに設定されており、制御部２０４は、タイマーリセットと同期してＦＳＲＤ信号Ｓ１７を出力する。また、制御部２０４は、疑似周期制御中は、常に兼用信号Ｓ１６の外部割り込みを監視している。ファン１１７の回転数が所定の回転数以上になり、ファンロック信号Ｓ１５がハイレベルからローレベルになると、兼用信号Ｓ１６は再び周期信号Ｓ１４に応じた信号を制御部２０４に出力するようになり、ハードウェア割り込みが発生する。疑似周期制御中にハードウェア割り込みが発生した場合、制御部２０４は、ファン１１７の起動が終了したと判断する。例えば、制御部２０４は、タイミングｔ１６で兼用信号Ｓ１６からのハードウェア割り込みを検知し、ファン１１７の起動が終了してファン１１７の回転数が所定の回転数以上になったと判断する。ファン１１７の起動が終了したタイミングｔ１６以降、例えば、タイミングｔ１７で、制御部２０４は、疑似周期Ｔ’を用いた制御から、本来の商用電源２０１の周期Ｔ１を使用した通常周期制御へ移行する。
【００３３】
制御部２０４は、疑似周期制御中に、ファン１１７の起動が終了したタイミングｔ１６で兼用信号Ｓ１６によるハードウェア割り込みが入力された際、次のような制御を行う。制御部２０４は、タイミングｔ１６以降の兼用信号Ｓ１６の一度目の立ち上がりエッジについて、このエッジが商用電源２０１の周期と同期しているとは限らないため、一度目の立ち上がりエッジを無視する。図３に示すように、タイミングｔ１６において、（ｃ）の周期信号Ｓ１４と、（ｄ）の兼用信号Ｓ１６とは同期していない。このため、制御部２０４は、タイミングｔ１６以降の兼用信号Ｓ１６の二度目の立ち上がりエッジをハードウェア割り込みとして検知する。なお、図３に示すように、（ｄ）の二度目の兼用信号Ｓ１６（タイミングｔ１７）と（ｃ）の周期信号Ｓ１４は同期している。このように、制御部２０４は、兼用信号Ｓ１６のローレベルを維持した状態から周期信号Ｓ１４に応じた状態への変化を検知した場合には、一度目の変化の次の二度目の変化に合わせて、疑似周期制御から通常周期制御に切り替える。
【００３４】
制御部２０４は、検知した兼用信号Ｓ１６の二度目の立ち上がりエッジと、一度目の立ち上りエッジが入力された際の疑似周期Ｔ’の立ち上がりエッジとの間隔Ｔ２から、通常周期制御へ移行した後の一回目の商用電源２０１の周期Ｔ１をＴ２に決定する。制御部２０４は、タイミングｔ１７で疑似周期制御から通常周期制御へ移行する。制御部２０４は、ファン１１７の起動が終了したタイミングｔ１６後の兼用信号Ｓ１６の二度目の立ち上がりエッジと同期したタイミングｔ１７で、通常周期制御へ移行する。制御部２０４は、通常周期制御に移行した直後の制御には、上述したＴ２を商用電源２０１の周期Ｔ１として用いるが、それ以降は、兼用信号Ｓ１６として入力される周期信号Ｓ１４に基づき求められた周期Ｔ１を用いて、制御を行う。また、制御部２０４は、周期Ｔ１を最新の値に更新する。
【００３５】
以上の制御により、本実施例では、ファン１１７の起動時に周期信号Ｓ１４が検知できない期間が発生する場合でも、疑似周期Ｔ’を用いた疑似周期制御に切り替える構成により、ＦＳＲＤ信号Ｓ１７の制御を継続することが可能である。
【００３６】
以上、本実施例によれば、周期的な信号と非周期的な信号が制御手段の一つの入力ポートに入力される構成で、周期的な信号を用いた制御を行う際に、非周期的な信号の状態によらず制御を継続させることができる。
【実施例２】
【００３７】
［回路構成］
実施例２について、実施例１と同様に、電子写真プロセスを用いたレーザービームプリンタを例に説明する。本実施例の回路構成について、図４（Ａ）を用いて説明する。図４（Ａ）は加熱装置１１３の制御回路の構成を示す。加熱装置１１３の投入電力制御については、実施例１で説明した動作と同様であるため説明を省略する。また、図２（Ａ）で説明した構成と同様の構成には同じ符号を用い、説明を省略する。
【００３８】
図４（Ａ）で、制御部２０４は、商用電源２０１の周期はＡＣライン間に接続されたＰＣ２に印加された交流電圧から周期信号Ｓ１４を検知する。フォトインタラプタＰＣ３（以下、単にＰＣ３とする）は、用紙１０１の先端が到達したこと及び後端が通過したことを検知し、非周期的な第二の信号である信号Ｓ２１を出力する。制御部２０４は、ＰＣ３により用紙１０１の後端が通過したことを検知することで、例えば、次の用紙１０１の給紙のタイミングや搬送路上における紙詰まり（ジャム）の有無等、所定の動作をしているかを判断している。
【００３９】
ＰＣ３は、フラグ１２０と共に用紙１０１の搬送路上に設置されており、フラグ１２０はＰＣ３の発光部１２０ａと受光部１２０ｂの間を遮るように配置される。用紙１０１が搬送されていない状態では、フラグ１２０はＰＣ３を遮光しており、受光部１２０ｂのトランジスタはオンせず、信号Ｓ２１は第一の状態であるハイインピーダンス状態となり、兼用信号Ｓ１６は周期信号Ｓ１４に応じたレベルが出力される。一方、用紙１０１が搬送され、フラグ１２０を倒すことで、フラグ１２０がＰＣ３の発光部１２０ａと受光部１２０ｂの間からずれることで透光し、受光部１２０ｂのトランジスタがオンする。これにより、信号Ｓ２１は第二の状態であるローレベルとなり、兼用信号Ｓ１６は、周期信号Ｓ１４にかかわらず所定の状態であるローレベルとなる。周期信号Ｓ１４と、ＰＣ３の信号Ｓ２１は、回路上でワイヤードオアされて兼用信号Ｓ１６として制御部２０４の一つの入力ポートに入力される。
【００４０】
［本実施例の制御］
本実施例の制御動作について、図４（Ｂ）のタイミングチャートを用いて説明する。図４（Ｂ）で、（ａ）はフラグ１２０の状態を示し、（ｄ）はＰＣ３の出力に基づく制御部２０４による用紙１０１の位置の検知を示す。図４（Ｂ）の（ｂ）、（ｃ）、（ｅ）、（ｆ）は図３（ｃ）〜（ｆ）と同様の波形を示し、説明を省略する。プリンタ１１８がプリントジョブを受け付けプリントが開始され、電源投入時の初期動作を開始すると、制御部２０４は、タイミングｔ２１で、リレーＲＬ１をオンする。これにより、ＰＣ１に交流電圧が印加され、商用電源２０１の周期信号Ｓ１４として商用電源２０１の周期に同期したパルス信号が制御部２０４に出力される（図４（Ｂ）（ｂ））。
【００４１】
タイミングｔ２１では、用紙１０１が搬送されていない状態（以下、非搬送状態）で、フラグ１２０は動作していないため、ＰＣ３はフラグ１２０により遮光されている（図４（Ｂ）（ａ））。ＰＣ３の出力である信号Ｓ２１は、第一の状態であるハイインピーダンスとなっている。即ち、兼用信号Ｓ１６には商用電源２０１の周期信号Ｓ１４が出力され、制御部２０４には兼用信号Ｓ１６を介して周期信号Ｓ１４が入力されて、商用電源２０１の周期を検知する。
【００４２】
制御部２０４は、兼用信号Ｓ１６の立ち上がり又は立ち下がりエッジをトリガとしたハードウェア割り込みとして、商用電源２０１の周期信号Ｓ１４を検知する。制御部２０４は、兼用信号Ｓ１６の立ち上がり又は立ち下がりエッジから次の立ち上がり又は立ち下がりエッジまでの間隔から、商用電源２０１の周期Ｔ３を求める。本実施例では、兼用信号Ｓ１６の立ち下がりエッジから次の立ち下がりエッジまでを周期Ｔ３としている。制御部２０４は、周期Ｔ３を決定すると、タイミングｔ２２で、ＦＳＲＤ信号Ｓ１７を周期Ｔ３のタイミングと同期させて、ゼロクロスタイミングとズレが発生しないようにＰＣ１にＦＳＲＤ信号Ｓ１７を出力する。タイミングｔ２２以降、制御モードは商用電源２０１の周期Ｔ３を利用した制御を行う通常周期制御となる。
【００４３】
制御部２０４は、兼用信号Ｓ１６に周期信号Ｓ１４が入力される度にハードウェア割り込みとして検知し、通常周期制御中の周期Ｔ３を最新の周期の値に更新する。制御部２０４は、商用電源２０１の周期Ｔ３が決定すると、投入電力制御を開始し、発熱部材２０２を所定温度に到達するように制御する。発熱部材２０２が所定温度に立ち上がると、用紙１０１の搬送が開始される。
【００４４】
制御部２０４は、用紙１０１の給紙を開始するタイミングｔ２３で、現在保持している最新の周期Ｔ３を、疑似周期Ｔ’として設定する。制御部２０４は、疑似周期Ｔ’を設定したタイミングｔ２３後の兼用信号Ｓ１６の立ち上がり又は立ち下がりエッジと同期したタイミングｔ２４で、通常周期制御から、疑似周期Ｔ’を用いた制御を行う疑似周期制御へ移行する。本実施例では、兼用信号Ｓ１６の立ち上がりエッジと、疑似周期Ｔ’の信号の立ち上がりエッジが同じタイミングとなるように、タイミングｔ２４で同期をとっている。
【００４５】
制御部２０４は、タイミングｔ２３の給紙開始後の兼用信号Ｓ１６の立ち上がり又は立ち下がりエッジを確実に検知するため、次のように制御する必要がある。即ち、制御部２０４は、給紙開始からフラグ１２０が動作してＰＣ３が遮光された状態から透光された状態に変化するまでは、周期Ｔ３の一周期以上の時間又はその時間に相当する距離を空けて制御する必要がある。
【００４６】
タイミングｔ２４で疑似周期制御に移行すると、制御部２０４は、疑似周期Ｔ’に同期してＦＳＲＤ信号Ｓ１７の制御を継続する。疑似周期Ｔ’は、制御部２０４の内部に設けられたタイマーに設定されており、制御部２０４は、タイマーリセットと同期してＦＳＲＤ信号Ｓ１７を出力する。用紙１０１の搬送が開始されると、タイミングｔ２５で用紙１０１がフラグ１２０を倒すことで、ＰＣ３が遮光状態から透光状態となる。このため、タイミングｔ２５以降、ローレベルの兼用信号Ｓ１６が出力されるため、制御部２０４は、周期信号Ｓ１４を検知することができなくなる。しかし、タイミングｔ２５では、既に疑似周期制御へ移行されているため、ＦＳＲＤ信号Ｓ１７を疑似周期Ｔ’と同期して出力することが可能であり、投入電力制御の継続が可能である。
【００４７】
また、制御部２０４は、疑似周期制御中は、常に兼用信号Ｓ１６の入力ポートのハードウェア割り込みを監視している。疑似周期制御へ移行した後、フラグ１２０の動作に連動して、兼用信号Ｓ１６の入力ポートにハードウェア割り込みが発生しない期間が発生する。制御部２０４は、タイミングｔ２５の兼用信号Ｓ１６の立ち下がりエッジを検知してから、第一の時間である所定の時間Ｔｈが経過しても、ローレベルのままで立ち上がりエッジが検知されない場合に、用紙１０１の先端がフラグ１２０に到達したと判断する。ここで、所定の時間Ｔｈは、商用電源２０１の周期の半分以上の時間（Ｔｈ≧Ｔ３／２）に設定することで、制御部２０４は、周期信号Ｓ１４とＰＣ３による用紙１０１の検知タイミングとを判別することが可能である。
【００４８】
タイミングｔ２５で用紙１０１の先端が検知された後、制御部２０４は、タイミングｔ２６で兼用信号Ｓ１６の立ち上がりエッジを検知すると、次のように制御する。即ち、制御部２０４は、タイミングｔ２６から第二の時間である所定の時間Ｔｅ以内に、再度、兼用信号Ｓ１６の立ち上がりエッジを検知した場合には、用紙１０１の後端がフラグ１２０を通過したと判断する。ここで、所定の時間Ｔｅは、商用電源２０１の周期以上（Ｔｅ≧Ｔ３）に設定することで、制御部２０４は、周期信号Ｓ１４とＰＣ３による用紙１０１の検知タイミングとを判別することが可能である。
【００４９】
このような構成により、制御部２０４は、疑似周期制御中でも、用紙１０１の先端がフラグ１２０に到達したこと及び後端がフラグ１２０を通過したことを判断することが可能であり、用紙１０１の搬送状態を判別することが可能である。本実施例の疑似周期制御は、用紙１０１の搬送が終了して、加熱装置１１３への投入電力制御が終了するタイミングｔ２７まで継続される。なお、本実施例では、疑似周期制御に移行した後、投入電力制御を終了するまで疑似周期制御を継続する構成であるが、用紙１０１の後端を検知した後に通常周期制御に戻す構成としてもよい。制御部２０４は、タイミングｔ２７で、リレーＲＬ１をオフさせて投入電力制御を終了するとともに、タイマーに設定された疑似周期Ｔ’をリセットし終了する。このような制御により、周期信号Ｓ１４とＰＣ３の信号Ｓ２１を兼用した兼用信号Ｓ１６が入力される構成でも、制御部２０４は、発熱部材２０２への投入電力制御を継続することが可能である。
【００５０】
以上、本実施例によれば、周期的な信号と非周期的な信号が制御手段の一つの入力ポートに入力される構成で、周期的な信号を用いた制御を行う際に、非周期的な信号の状態によらず制御を継続させることができる。
【実施例３】
【００５１】
［本実施例の制御］
実施例３について、実施例１、２と同様に、電子写真プロセスを用いたレーザービームプリンタを例に説明する。実施例３では、複数の用紙１０１に連続して画像形成を行う。本実施例の回路構成は実施例２の図４（Ａ）と同様であり、説明を省略する。本実施例の制御動作について、図５のタイミングチャートを用いて説明する。図５の（ａ）〜（ｆ）の波形は、図４（Ｂ）の（ａ）〜（ｆ）の波形を示し、説明を省略する。
【００５２】
プリンタ１１８がプリントジョブを受け付けプリントが開始され、電源投入時の初期動作を開始すると、制御部２０４は、タイミングｔ３１で、リレーＲＬ１をオンする。これにより、ＰＣ１に交流電圧が印加され、商用電源２０１の周期信号Ｓ１４として商用電源２０１の周期に同期したパルス信号が制御部２０４に出力される（図５（ｂ））。
【００５３】
タイミングｔ３１では、非搬送状態で、フラグ１２０は動作していないため、ＰＣ３はフラグ１２０により遮光されている（図５（ａ））。ＰＣ３の出力である信号Ｓ２１は、ハイインピーダンスとなっている。即ち、兼用信号Ｓ１６には商用電源２０１の周期信号Ｓ１４が出力され、制御部２０４は兼用信号Ｓ１６が入力されて、商用電源２０１の周期を検知する。
【００５４】
制御部２０４は、兼用信号Ｓ１６の立ち上がり又は立ち下がりエッジをトリガとしたハードウェア割り込みとして、商用電源２０１の周期信号Ｓ１４を検知する。制御部２０４は、兼用信号Ｓ１６の立ち上がり又は立ち下がりエッジから次の立ち上がり又は立ち下がりエッジまでの間隔から、商用電源２０１の周期Ｔ４を求める。本実施例では、兼用信号Ｓ１６の立ち下がりエッジから次の立ち下がりエッジまでを周期Ｔ４としている。制御部２０４は、周期Ｔ４を決定すると、タイミングｔ３２で、ＦＳＲＤ信号Ｓ１７を周期Ｔ４のタイミングと同期させて、ゼロクロスタイミングとズレが発生しないようにＰＣ１にＦＳＲＤ信号Ｓ１７を出力する。タイミングｔ３２以降、制御モードは商用電源２０１の周期Ｔ４を利用した制御を行う通常周期制御となる。
【００５５】
制御部２０４は、兼用信号Ｓ１６に周期信号Ｓ１４が入力される度にハードウェア割り込みとして検知し、通常周期制御中の周期Ｔ４を最新の周期の値に更新する。制御部２０４は、商用電源２０１の周期Ｔ４が決定すると、投入電力制御を開始し、発熱部材２０２を所定温度に到達するように制御する。発熱部材２０２が所定温度に立ち上がると、一枚目の用紙１０１の搬送が開始される。
【００５６】
制御部２０４は、一枚目の用紙１０１の給紙を開始するタイミングｔ３３で、現在保持している最新の周期Ｔ４を、疑似周期Ｔ’として設定する。制御部２０４は、疑似周期Ｔ’を設定したタイミングｔ３３後の兼用信号Ｓ１６の立ち上がり又は立ち下がりエッジと同期したタイミングｔ３４で、通常周期制御から、疑似周期Ｔ’を用いた制御を行う疑似周期制御へ移行する。本実施例では、兼用信号Ｓ１６の立ち上がりエッジと、疑似周期Ｔ’の信号の立ち上がりエッジが同じタイミングとなるように、タイミングｔ３４で同期をとっている。
【００５７】
タイミングｔ３４で疑似周期制御に移行すると、制御部２０４は、疑似周期Ｔ’に同期してＦＳＲＤ信号Ｓ１７の制御を継続する。疑似周期Ｔ’は、制御部２０４の内部に設けられたタイマーに設定されており、制御部２０４は、タイマーリセットと同期してＦＳＲＤ信号Ｓ１７を出力する。
【００５８】
制御部２０４は、タイミングｔ３３の給紙開始後の兼用信号Ｓ１６の立ち上がり又は立ち下がりエッジを確実に検知するため、次のように制御する必要がある。即ち、制御部２０４は、給紙開始からフラグ１２０が動作してＰＣ３が遮光された状態から透光された状態に変化するまでは、周期Ｔ４の一周期以上の時間又はその時間に相当する距離を空けて制御する必要がある。
【００５９】
一枚目の用紙１０１の搬送が開始されると、タイミングｔ３５で一枚目の用紙１０１がフラグ１２０を倒すことで、ＰＣ３が遮光状態から透光状態となる。このため、タイミングｔ３５以降、ローレベルの兼用信号Ｓ１６が出力されるため、制御部２０４は、周期信号Ｓ１４を検知することができなくなる。しかし、タイミングｔ３５では疑似周期制御へ移行されているため、ＦＳＲＤ信号Ｓ１７を疑似周期Ｔ’と同期して出力することが可能であり、投入電力制御の継続が可能である。
【００６０】
また、制御部２０４は、疑似周期制御中は、常に兼用信号Ｓ１６の入力ポートのハードウェア割り込みを監視している。疑似周期制御へ移行した後、フラグ１２０の動作に連動して、兼用信号Ｓ１６の入力ポートにハードウェア割り込みが発生しない期間が発生する。制御部２０４では、タイミングｔ３５の兼用信号Ｓ１６の立ち下がりエッジを検知してから、所定の時間Ｔｈが経過しても立ち上がりエッジが検知されない場合に、一枚目の用紙１０１の先端がフラグ１２０に到達したと判断する。ここで、所定の時間Ｔｈは、商用電源２０１の半周期（＝Ｔ４／２）以上に設定することで、制御部２０４は、周期信号Ｓ１４とＰＣ３による一枚目の用紙１０１の検知タイミングとを判別することが可能である。
【００６１】
タイミングｔ３５で用紙１０１の先端が検知された後、制御部２０４は、タイミングｔ３６で兼用信号Ｓ１６の立ち上がりエッジを検知すると、次のように制御する。即ち、制御部２０４は、タイミングｔ３６から所定の時間Ｔｅ以内に、再度、立ち上がりエッジを検知した場合は、一枚目の用紙１０１の後端がフラグ１２０を通過したと判断する。ここで、所定の時間Ｔｅは、商用電源２０１の周期（Ｔ４）以上に設定することで、制御部２０４は、周期信号Ｓ１４とＰＣ３による一枚目の用紙１０１の検知タイミングとを判別することが可能である。
【００６２】
このような構成により、制御部２０４は、疑似周期制御中でも、用紙１０１の先端がフラグ１２０に到達したこと及び後端がフラグ１２０を通過したことを判断することが可能であり、用紙１０１の搬送状態を判別することが可能である。用紙１０１を連続して搬送する場合、用紙１０１と次の用紙１０１の間に搬送速度及びスループットに応じた給紙間隔が発生する。一枚目の用紙１０１の後端がフラグ１２０を通過したタイミングｔ３６で、フラグ１２０がＰＣ３を遮光する状態となり、ＰＣ３から出力される信号Ｓ２１はハイインピーダンス状態となる。このため、兼用信号Ｓ１６には商用電源２０１の周期信号Ｓ１４が再び出力される。
【００６３】
制御部２０４は、兼用信号Ｓ１６のパルス信号を常に入力ポートのハードウェア割り込みとして監視しており、兼用信号Ｓ１６の立ち上がり又は立ち下がりエッジの間隔を検知及び算出する。制御部２０４は、検知した各エッジ間の間隔を商用電源２０１の周期Ｔ４として制御部２０４の内部メモリに保持しておく。制御部２０４は、一枚目の用紙１０１と二枚目の用紙１０１との紙間で、周期Ｔ４を、最新の周期の値に更新しておく。
【００６４】
制御部２０４は、一枚目の用紙１０１の後端をＰＣ３により検知したタイミングｔ３６以降、所定の給紙間隔を開けて、タイミングｔ３７で二枚目の用紙１０１の搬送を開始する。二枚目の用紙１０１の給紙が開始されたタイミングｔ３７の直後の疑似周期Ｔ’の立ち上がり又は立ち下がりエッジに同期したタイミングｔ３８で、制御部２０４は、疑似周期Ｔ’を内部メモリに保持してある最新の商用電源２０１の周期Ｔ４に更新する。本実施例では、疑似周期Ｔ’の立ち上がりエッジに同期したタイミングｔ３８で、疑似周期Ｔ’を更新する。このように、制御部２０４は、給紙間隔中に疑似周期Ｔ’の更新を、搬送が終了するまで繰り返す。
【００６５】
二枚目の用紙１０１の搬送が開始されると、タイミングｔ４０で二枚目の用紙１０１がフラグ１２０を倒すことで、ＰＣ３が遮光状態から透光状態となる。このため、タイミングｔ４０以降、ローレベルの兼用信号Ｓ１６が出力されるため、制御部２０４は、周期信号Ｓ１４を検知することができなくなる。しかし、タイミングｔ４０は既に疑似周期制御中であるため、ＦＳＲＤ信号Ｓ１７を疑似周期Ｔ’と同期して出力することが可能であり、投入電力制御の継続が可能である。
【００６６】
また、制御部２０４は、疑似周期制御中は、常に兼用信号Ｓ１６の入力ポートのハードウェア割り込みを監視している。疑似周期制御中、フラグ１２０の動作に連動して、兼用信号Ｓ１６にハードウェア割り込みが発生しない期間が発生する。制御部２０４は、タイミングｔ４０直前の兼用信号Ｓ１６の立ち下がりエッジを検知したタイミングｔ３９から、所定の時間Ｔｈが経過しても立ち上がりエッジが検知されない場合に、二枚目の用紙１０１の先端がフラグ１２０に到達したと判断する。ここで、所定の時間Ｔｈは、商用電源２０１の半周期（＝Ｔ４／２）以上に設定することで、制御部２０４は、周期信号Ｓ１４とＰＣ３による二枚目の用紙１０１の検知タイミングとを判別することが可能である。
【００６７】
タイミングｔ４０で二枚目の用紙１０１の先端がフラグ１２０に到達した後、タイミングｔ４１で二枚目の用紙１０１の後端がフラグ１２０を通過する。制御部２０４は、タイミングｔ４２で兼用信号Ｓ１６の立ち上がりエッジを検知すると、次のように制御する。即ち、制御部２０４は、タイミングｔ４２から所定の時間Ｔｅ以内に、再度、兼用信号Ｓ１６の立ち上がりエッジを検知した場合には、二枚目の用紙１０１の後端がフラグ１２０を通過したと判断する。ここで、所定の時間Ｔｅは、商用電源２０１の周期（Ｔ４）以上に設定することで、制御部２０４は、周期信号Ｓ１４とＰＣ３による用紙１０１の検知タイミングとを判別することが可能である。
【００６８】
このような構成により、制御部２０４は、疑似周期制御中でも、用紙１０１の先端がフラグ１２０に到達したこと及び後端がフラグ１２０を通過したことを判断することが可能であり、用紙１０１の搬送状態を判別することが可能である。制御部２０４は、連続印刷の最後の用紙の画像形成が終了すると、リレーＲＬ１をオフさせて投入電力制御を終了するとともに、タイマーに設定された疑似周期Ｔ’をリセットし終了する。このような制御により、周期信号Ｓ１４とＰＣ３の信号Ｓ２１を兼用した兼用信号Ｓ１６が入力される構成でも、制御部２０４は、発熱部材２０２への投入電力制御を継続することが可能である。
【００６９】
なお、本実施例では、一枚目の用紙１０１の給紙が開始されて通常周期制御から疑似周期制御に移行した後は、投入電力制御を終了するまで、疑似周期制御が継続される構成である。しかし、一枚目の用紙１０１がフラグ１２０を通過した後に疑似周期制御から通常周期制御に移行する構成としてもよい。そして、一枚目の用紙１０１と同様の制御により、二枚目の用紙１０１がフラグ１２０に到達する前に、通常周期制御から疑似周期制御に移行するようにしてもよい。即ち、用紙と用紙の紙間で、通常周期制御に戻す制御としてもよい。
【００７０】
このような制御により、周期信号Ｓ１４とフラグ１２０及びＰＣ３の信号Ｓ２１を兼用信号Ｓ１６として兼用しながらも、商用電源周期に基づきで発熱部材２０２への投入電力制御を継続することが可能である。
【００７１】
以上、本実施例によれば、周期的な信号と非周期的な信号が制御手段の一つの入力ポートに入力される構成で、周期的な信号を用いた制御を行う際に、非周期的な信号の状態によらず制御を継続させることができる。
【符号の説明】
【００７２】
２０４      制御部
【図１】
0006700761.tif 000002
【図２】
0006700761.tif 000003
【図３】
0006700761.tif 000004
【図４】
0006700761.tif 000005
【図５】
0006700761.tif 000006
【図６】
0006700761.tif 000007